(57)【要約】【課題】  床上に拡げたワイパーシートに掃除具本体を載せるか或いはワイパーシートの余り部分を折り返し軽く押圧するだけでワイパーシートを掃除具本体に固定することができ使用時においてワイパーシートが外れることのないワイパーシートの掃除具本体への取付構造を提供する。【解決手段】  ジョイント部を介して把手に連結される長方形の基板の下面に弾性板を積層し、この弾性板にワイパーシートを着脱自在に添合させる掃除具において、上記の基板と弾性板からなる掃除具本体の前後の両長手方向辺縁部に該ワイパーシートの接地面積に対して２％以上１０％未満の機械的係合面を備え、この係合面に該ワイパーシートを係合させることを特徴とする掃除具。【選択図】  図３
2005058678.tif 000002
【特許請求の範囲】
【請求項１】
ジョイント部を介して把手に連結される長方形の基板の下面に弾性板を積層し、この弾性板にワイパーシートを着脱自在に添合させる掃除具において、上記の基板と弾性板からなる掃除具本体の前後の両長手方向辺縁部に該ワイパーシートの接地面積に対して２％以上１０％未満の機械的係合面を備え、この係合面に該ワイパーシートを係合せしめることを特徴とする掃除具。
【請求項２】
掃除具本体の前後の両長手方向辺縁部が弾性板底面の長手方向辺縁部、弾性板の長手方向側面部、基板の長手方向側面部および基板上面の長手方向辺縁部のいずれかである請求項１記載の掃除具。
【請求項３】
掃除具本体の前後の両長手方向辺縁部に備えられる機械的係合面が長手方向に連続的または間欠的に設けられている請求項１または２記載の掃除具。
【請求項４】
掃除具本体の前後の両辺縁部に備えられる機械的係合面が前後の長手方向の辺縁部で前後対称的に配設されている請求項１から３までのいずれか１項記載の掃除具。
【請求項５】
機械的係合面は粘着剤その他で変換可能に取付けられた面ファスナーである請求項１から４までのいずれか１項記載の掃除具。
【請求項６】
下面に向かって凹状に湾曲した２層金属板で基板を構成するか、該２層金属板を基板の下面に取付け、該２層金属板の床面の押圧時の反り返りを利用してワイパーシートにテンションを与えるようにした請求項１から５までのいずれか１項記載の掃除具。
【請求項７】
機械的係合面を弾性板底面の長手方向辺縁部に設けて床上に拡げたワイパーシートに掃除具の弾性板面を載せるだけでワイパーシートの固定ができる請求項１から６までのいずれか１項記載の掃除具。
【発明の詳細な説明】
【技術分野】
【０００１】
本発明はフローリングワイパーに関するものである。
【背景技術】
【０００２】
主にフローリングを清拭するために用いられるシート状ワイパーは、専用の掃除具に固定して使用される。このシートの固定は通常、掃除具本体に設けた係止部（複数の弾性片）に挟み込むなどして行われているが、指先で４隅をそれぞれ押し込み固定する必要があり手間であった。また、この他にも係止手段を本体に備えたものが提案されてはいるが、接合強度が弱いなどの問題があった。
【０００３】
従来この種の掃除具としてジョイント部を有する基板の下面に弾性板を積層し、更に清拭板を貼合した掃除具で、弾性板の長手方向側面部もしくは基板の上面側端部に清拭用シートを係合させるための面ファスナーを付設する掃除具や把手に連接された保持板と、この保持板に付設された弾性体とを備え、保持板の両側面複数箇所に繊維布を挟持する嵌合部を設ける掃除具が提案されている。
【０００４】
【特許文献１】登録実用新案公報第３０３６５３３号
【特許文献２】特開平９−１４０６５１
【発明の開示】
【発明が解決しようとする課題】
【０００５】
解決しようとする問題点は床上に拡げたワイパーシートに掃除具本体を載せるか或いはワイパーシートの余り部分を折り返し軽く押圧するだけでワイパーシートを掃除具本体に固定することができ使用時においてワイパーシートが外れることのないワイパーシートの掃除具本体への取付構造を提供することにある。
【課題を解決するための手段】
【０００６】
本発明は掃除具の本体の所定位置にシートの接地面積に対して２％以上１０％未満、望ましくは３〜７％の機械的係合手段を備えた掃除具と、これに係合するワイパーシートを特徴とする。係合手段の位置は本体の長側端の周辺とし、シートの装着のしやすさやコストの点から下面、側面が好ましい。２％以上であれば、現行品と比較して同程度かそれ以上の係止強度が得られる。また、１０％より大きいと取り外しにくくなり、またコスト面からも好ましくない。
【０００７】
本発明の要点はジョイント部を介して把手に連結される長方形の基板の下面に弾性板を積層し、この弾性板にワイパーシートを着脱自在に添合させる掃除具において、上記の基板と弾性板からなる掃除具本体の前後の両長手方向辺縁部に該ワイパーシートの設置面積に対して２％以上１０％未満の機械的係合面を備え、この係合面に該ワイパーシートを係合させることを目的とする掃除具に関する。
【０００８】
また本発明は上記において掃除具本体の前後の両長手方向辺縁部が弾性板底面の長手方向辺縁部、弾性板の長手方向側面部、基板の長手方向側面部および基板上面の長手方向辺縁部のいずれかである、あるいは、掃除具本体の前後の両長手方向辺縁部に備えられる機械的係合部が長手方向に連続的または間欠的に設けられている、あるいは、掃除具本体の前後の両辺縁部に備えられる機械的係合面が前後の長手方向の辺縁部で前後対称的に配設されているものを含んでいる。
【０００９】
また本発明は上記において機械的係合面は粘着剤その他で着脱可能に取付けられた面ファスナーである、あるいは、下面に向けて凹状に湾曲した２層金属板で基板を構成するか、該２層金属板を基板の下面に取付け、該２層金属板の床面の押圧時の反り返りを利用してワイパーシートにテンションを与えるようにした、あるいは、機械的係合面を弾性板底面の長手方向辺縁部に設けて床上に拡げたワイパーシートに掃除具の弾性板面を載せるだけでワイパーシートの固定ができるものを含んでいる。
【発明の効果】
【００１０】
従来の様に指先で４隅を押し込み固定する必要がなく、床上に広げたシートに載せる、あるいは、シートの余り部分を折り返し軽く押圧するだけで、シートの固定ができ、使用時において外れることがない。シート面積は、従来より小さくすることができ、コスト面で有利である。
【発明を実施するための最良の形態】
【００１１】
以下に本発明の実施例を図例を用いて証明するが、本発明はこれによって何らに制約されるものではない。
【実施例１】
【００１２】
図１はフローリングワイパー掃除具の外観図でジョイント部（１）を介して把手（２）に連接される長方形の基板（３）の下面に弾性板（４）を積層した構成である。図２は従来の掃除具本体（基板および弾性板）の外観図で基板上面の４隅に係止部（弾性面）を設け、弾性板下面および基板上面を被うに十分な大きさのワイパーシートを掃除具本体に被せ、ワイパーシートの４隅部を夫々係止部（弾性板）に指先で押し込み固定している。
【００１３】
図３は本発明の掃除具本体を示し、機械的係合部材例えば面ファスナー（５）を弾性板（４）の底面に設けている。またこれら面ファスナー（５）はいずれも長手方向辺縁部に設けられており、かつ前後の長手方向辺縁部で対称的に設けられている。図６は図３のｘ−ｘ断面図で面ファスナー（５）は粘着剤等で交換可能に弾性板（４）の底面に粘着されている。
【実施例２】
【００１４】
図４は面ファスナー（５）を弾性板（４）の長手方向側面部に設けた例で面ファスナー（５）は前後の長手方向側面部で対称的に設けられている。
【実施例３】
【００１５】
図５は基板（３）の上面の長手方向辺縁部に面ファスナー（５）を設けた例で面ファスナー（５）は前後の長手方向辺縁部で対称的に設けられている。
【実施例４】
【００１６】
図７は基板（３）を２層金属板とし常時は下面に対して凹状に湾曲させた構成である。この状態でワイパーシートを取付けておけば、図８のように掃除具本体を床面に押圧したときに基板（３）の２層金属板の凹状湾曲が反り返り反転し、シートにテンションを与えワイパーシートの掃除具本体への密着性が向上し、より効果的な掃除効果が期待できる。
【００１７】
＜試験例１＞
以下に本発明の各例および比較例によってワイパーシートの密着性能を試験した結果を示す。
【００１８】
（例１）  基板側面に３０×１１mmの面ファスナーを片側３箇所ずつに取付け。
（例２）  弾性板側面に３０×７mmの面ファスナーを片側３箇所ずつに取付け。
（例３）  本体の下面に３０×１１mmの面ファスナーを両長側端に沿って３箇所ずつ取付け。
（例４）  本体の上面に３０×５mmの面ファスナーを両長側端に沿って３箇所ずつ取付け。
比較  クレシア  フロアワイパー  （はめ込み式、係止部の肉厚：０．６，０．７mm）
面ファスナーは、住友スリーエム社製ＣＳ６００（１６００）ＤＨ。ワイパーシートは、クレシア製フロアシート＜ドライタイプ＞をそれぞれ使用した。
それぞれシートを止めることができる最小の面積は表１に記載のとおり。
【００１９】
（比較例）
2005058678.tif 000003
（例１）
2005058678.tif 000004
（例２）
2005058678.tif 000005
（例３）
2005058678.tif 000006
（例４）
2005058678.tif 000007
【００２０】
＜試験法及び結果＞
１．使用試験  従来品と実施例１〜４にフロアシートを取り付け、フローリング１ｍを２００往復し、シートの外れ具合を確認した。いずれも外れはなかった。従来品は係止部の長手方向肉厚が０．６mm（比較１）、０．７mm（比較２）
２．取り外し抵抗  フロアシートを本体長手方向に沿って片側部に取付け、テンシロン型引張試験機にて３００mm／minで引張り、シートを取り外す時の抵抗を調べた。結果は表１に記載した。
【００２１】
【表１】
2005058678.tif 000008
【００２２】
＜試験例２＞
フローリングワイパーの取り外し力（gf）と係合面積（％）（掃除具本体に取付けた面ファスナーの総面積／ワイパーシートの接地面積）との関係をテストした。図９に示すように９０°剥離および１８０°剥離のいずれの場合も接地面積３〜１０％の段階で良好な結果が得られた。
【図面の簡単な説明】
【００２３】
【図１】フローリングワイパー掃除具外観図
【図２】従来の掃除具本体の外観図
【図３】本発明の実施例１に係わる掃除具本体外観図
【図４】本発明の実施例２に係わる掃除具本体外観図
【図５】本発明の実施例３に係わる掃除具本体外観図
【図６】図−３のｘ−ｘ断面図
【図７】本発明の実施例４に係わる掃除具の外観図
【図８】本発明の実施例４に係わる掃除具の外観図
【図９】本発明の試験例２を示す図表
【符号の説明】
【００２４】
１……ジョイント
２……把手
３……基板
４……弾性板
５……面ファスナー
【図１】
2005058678.tif 000009
【図２】
2005058678.tif 000010
【図３】
2005058678.tif 000011
【図４】
2005058678.tif 000012
【図５】
2005058678.tif 000013
【図６】
2005058678.tif 000014
【図７】
2005058678.tif 000015
【図８】
2005058678.tif 000016
【図９】
2005058678.tif 000017